(57)【要約】      （修正有）【課題】引戸の開いているときに鎌形の鉤部材や作動部材が扉の端面から突出しない引戸錠を提供する。【解決手段】扉１を閉めるのに応じて、両マグネット5d，2cが互いに磁気反発し、鉤部材５の先側が扉１の端面から突出して枠体２側の係止具2bに掛止され、施錠状態になる。このとき、扉１の外部からロック部材６を操作し、それをスライドさせる。すると、ロック部材６が枠体２側の係止具2bに掛止されている鉤部材５に係合し、鉤部材５がロックされ、鉤部材５による施錠状態が維持される。扉１の端面が相手側の枠体２の端面と当接するまでは、鉤部材５の先端部分は扉１から突出しない。【選択図】図４
2005220515.tif 000002
【特許請求の範囲】
【請求項１】
回動自在の鎌形の鉤部材５を有する扉１側とこの扉１に対峙する枠体２側に、互いに磁気反発するマグネットを対向して配置し、両マグネットの互いの磁気反発により前記鉤部材５を扉１の端面から突出させてその先端を前記枠体２側の係止具2bに掛止する形式の引戸用錠であって、前記扉１側に外部から操作可能であって前記鉤部材５に対してスライドさせ得るロック部材６を備え、前記枠体２側の係止具2bに前記鉤部材５を掛止させた施錠時において、このロック部材６をスライドさせて前記鉤部材５に係合させることを可能ならしめたことを特徴とする引戸用錠。
【請求項２】
枠体２側の係止具2bへの鉤部材５の掛止状態を解除するために、鉤部材５の回動中心より下側を押してそれを元の位置に戻すための開錠部材８を有し、この開錠部材８を作動させる引手レバー９を扉１の外部に位置させたことを特徴とする請求項１記載の引戸用錠。
【請求項３】
枠体２側の係止具2bに鉤部材５を掛止させた施錠時において、鉤部材５に係合させてあるロック部材６が開錠部材８にも係合してその動きを封じていることを特徴とする請求項２記載の引戸用錠。
【請求項４】
鉤部材５の先端部である屈曲部5aの外縁部5a'を円弧状にしたことを特徴とする請求項１〜３のいずれかに記載の引戸用錠。
【請求項５】
鉤部材５の回動中心より下側における端面にマグネット5dが取り付けられており、このマグネット5dを吸着させ得る板部材1bが扉１側に設けられていることを特徴とする請求項１から４のいずれかに記載の引戸用錠。
【発明の詳細な説明】
【技術分野】
【０００１】
本発明は、引戸に取り付けられる引戸用錠、さらに詳しくは、鎌形の鉤部材を枠体側に配置した係止具に掛止する形式、いわゆる鎌錠と呼ばれる形式の引戸用錠に関するものである。
【背景技術】
【０００２】
扉の端部から鎌形の鉤部材を突出させ、相手側の枠体に配置した係止具に掛止する形式の引戸用錠は、既に知られている（例えば、特許文献１参照）。
【特許文献１】特開平８−５３９６６号公報
【０００３】
この引戸用錠は、扉側に回動自在の鎌形の鉤部材とこの鉤部材に係脱させ得るロック部材とを備えており、前記ロック部材が前記鉤部材から外れたときこの鉤部材を扉の端面から突出させてその先端を枠体の端部に配置した係止具に掛止することにより、施錠できる。
【発明の開示】
【発明が解決しようとする課題】
【０００４】
この形式の引戸用錠にあっては、扉側において長尺状の作動杆が扉の端部から出没自在に、かつ、コイル状のばね部材により突出方向に付勢されて配置されており、扉を完全に閉めた状態、すなわち、扉の端面が相手側の枠体の端面と当接するまでの間は、前記作動杆の先端が絶えず扉の端面から突出した状態にある。
【０００５】
作動杆の先端を扉の端面から突出させてあるのは、扉を強く閉めた場合でも相手側の枠体と衝突する際の衝撃を和らげるとともに、扉側の鎌形の鉤部材が相手側の枠体の係止具の正規の位置に掛止されるようにするためである。このようにすることによって、引戸の損傷を防止することができる。
また、この作動杆を突出させる代わりに、鎌形の鉤部材の先側を突出させたものもある。
【０００６】
このように、従来の引戸用錠においては、作動杆もしくは鎌形の鉤部材のいずれかが必ず突出した状態にあるから、それが邪魔になる場合があり、また、細く突き出ているため危険な場合もある。
このような突起物を有しないものとするために、本出願人は、画期的な引戸用錠を先に開発した（例えば、特許文献２参照）。
【特許文献２】特開２００３−２４７３６８号公報
【０００７】
この引戸用錠には、扉側に回動自在の鎌形の鉤部材とこの鉤部材に係脱させ得るロック部材とが備えられており、前記ロック部材が前記鉤部材から外れたときこの鉤部材を扉の端面から突出させてその先端を枠体側に配置した係止具に掛止することができる。そして、前記ロック部材の端面、もしくは、前記ロック部材を前記鉤部材に係脱させるための作動体の端面に互いに磁気反発するマグネットがそれぞれ配置されている。
【０００８】
ロック部材の端面にマグネットが配置されている場合には、この磁気反発によりロック部材が一点を中心として回動せしめられ、鉤部材５との係止状態が解除される。
従って、鉤部材の先側が扉の端面から突出し、相手側の枠体側の係止具に掛止され、施錠状態となる。
【０００９】
また、ロック部材を前記鉤部材に係脱させるための作動体の端面にマグネットが配置されている場合には、前記磁気反発により作動体が奥の方に移動する。そして、この移動に従ってロック部材が一点を中心として回動せしめられ、鉤部材との係止状態が解除される。
従って、鉤部材の先側が扉の端面から突出し、相手側の枠体側の係止具に掛止され、施錠状態となる。
【００１０】
このように、特許文献２の場合には、一点を中心として回動するロック部材を用いている。本発明では、これとは異なる形式の部材を用い、特許文献２の場合と同様の作動を可能ならしめたものである。
【課題を解決するための手段】
【００１１】
この目的を達成するために、本発明では、鉤部材に係合させ得る部材として単にスライドする部材を採用した。すなわち、本発明の引戸用錠は、回動自在の鎌形の鉤部材５を有する扉１側とこの扉１に対峙する枠体２側に、互いに磁気反発するマグネットを対向して配置し、両マグネットの互いの磁気反発により前記鉤部材５を扉１の端面から突出させてその先端を前記枠体２側の係止具2bに掛止する形式の引戸用錠であって、前記扉１側に外部から操作可能であって前記鉤部材５に対してスライドさせ得るロック部材６を備え、前記枠体２側の係止具2bに前記鉤部材５を掛止させた間仕切り時において、このロック部材６を前記鉤部材５に係合させることを可能ならしめたことを特徴とするものである。
【００１２】
扉１を閉めるのに応じてその端面が図３(a)に示すように相手側の枠体２の端面に近づくと、扉１側に配置されているマグネットと、枠体２側に配置されているマグネットとが互いに磁気反発する。
この磁気反発により、鉤部材５が図３(b)に示すように回動せしめられ、その先側が扉１の端面から突出して相手側である枠体２側の係止具2bに掛止され、施錠状態（間仕切り状態）になる。
【００１３】
このとき、扉１の外部からロック部材６を操作し、それを図４(a)に示すようにスライドさせると、枠体２側の係止具2bに掛止されている鉤部材５に係合し、この鉤部材５をロックすることができる。従って、鉤部材５による施錠状態（間仕切り状態）が維持される。
【００１４】
上記の場合において、扉１を完全に閉めた状態、すなわち、扉１の端面が相手側の枠体２の端面と当接するまでの間では、鉤部材５の先端部分を扉１から突出しないように扉１内に納めておくことができる。すなわち、従来の場合には、作動体や鉤部材などの他の部材が扉１の端面から突出していたのを、本発明では突出しないようにすることができるので、非常に有利である。
【００１５】
枠体２側の係止具2bへの鉤部材５の掛止状態を解除するために、鉤部材５の回動中心より下側を押してそれを元の位置に戻すための開錠部材８を有し、この開錠部材８を作動させる引手レバー９を扉１の外部に位置させておくことが望ましい。
【００１６】
扉１の外部に位置している引手レバー９に例えば手を掛けてそれを動かすと、図４(b)及び図５に示すように開錠部材８が図の左側に移動し、その先と係合している鉤部材５が図４(b) の状態から図５に示すように回動する。従って、枠体２側の係止具2bに今まで掛止されていた鉤部材５は開錠状態となり、扉１を開けることが可能となる。
このように、扉１の外部に位置している部材を作動させることによって、自動的に施錠状態を解除することができる。
【００１７】
枠体２側の係止具2bに鉤部材５を掛止させた施錠時（間仕切り時）において、鉤部材５に係合させてあるロック部材６が開錠部材８にも係合してその動きを封じるようにしておくとよい。
図４(a)に示すように、枠体２側の係止具2bに鉤部材５を掛止させた施錠時（間仕切り時）において、鉤部材５に係合させてあるロック部材６が開錠部材８にも係合していると、たとえ、扉１の外部に位置している引手レバー９に例えば手を掛けて開錠部材８を動かそうとしても、それを動かすことはできない。従って、扉１を無理やり開けようとするのを、あるいは、扉１が勝手に開くのを防止できる。
【００１８】
鉤部材５の先端部である屈曲部5aの外縁部5a'を、円弧状にしておくのが望ましい。
このようにしておくと、鉤部材５の先端が扉１から突出してしまった後においても、扉１を閉めるのに応じて前記外縁部5a'部分が枠体２側の端面付近のいずれかの部分に当接し、鉤部材５の先が持ち上げられるので、それを枠体２の係止具2bに掛止させることができる。
【００１９】
鉤部材５の回動中心より下側における端面にマグネット5dが取り付けられており、このマグネット5dを吸着させ得る板部材1bが扉１側に設けられていることが望ましい。
この場合には、鉤部材５が扉１内に隠れているとき、扉１側に設けられている板部材1bに鉤部材５の回動中心より下側における端面に取り付けられているマグネット5dを吸着させておくことができるので、鉤部材５の先端部分を扉１から絶対に突出しないように扉１内に確実に納めておくことができる。
【発明の効果】
【００２０】
請求項１記載に発明によれば、扉１を閉めることによって鉤部材５が自動的に枠体２側の係止具2bに掛止された施錠状態とすることができるという効果がある。特に、ロック部材６が鉤部材５に係合させることにより、鉤部材５による前記施錠状態が維持される効果がある。また、扉１を完全に閉めた状態、すなわち、扉１の端面があいて側の枠体２の端面と当接するまでの間においては、鉤部材など何等かの部材を扉１の端面から突出しないようにすることができるので、非常に有利である。
【００２１】
請求項２記載の発明によれば、扉１の外部から引手レバー９を動かすだけで自動的に施錠状態を解除することができる。
【００２２】
請求項３記載の発明によれば、扉１を無理やり開けようとするのを、あるいは、扉１が勝手に開くのを防止できる。
【００２３】
請求項４記載の発明によれば、鉤部材５の先端が扉１から突出してしまった後においても、扉１を閉めるのに応じて鉤部材５の先が持ち上げられ、枠体２の係止具2bに掛止させることができる。
【００２４】
請求項５記載の発明によれば、鉤部材５が扉１内に隠れているとき、鉤部材５の先端部分を扉１から絶対に突出しないように扉１内に確実に納めておくことができる。
【発明を実施するための最良の形態】
【００２５】
本発明の好ましい実施の形態を、図面に基いて詳細に説明する。
図１に、本発明の引戸用錠を備えた引戸の一例を示す。この引戸Ａの設置状態を図示することは省略するが、いわゆる上吊り形式の引戸、すなわち、引戸Ａの上端部に埋め込んでその端面から上方に延出させた吊下部材のランナーの転子を、屋内の天井側に設置したレールの溝内に嵌め込んで吊り下げ、前記レールの下を走行させることができるようにしたものである。
図１においては、便宜上扉１が完全に閉じられる直前の状態が示されている。従って、図１において、扉１は枠体２に当接していない。なお、図２にもおいて
も扉１をこの状態で示してある。
【００２６】
扉１の端面側（各図の左端側）に箱形のケース３が埋め込まれ、その奥側（各図の右側）は窓状に開口してあってその部分には扉１の表裏両側から引手４，４がそれぞれ嵌め込んである。
前記ケース３内には、図２に示すように、略Ｌ形の屈曲部5aを有する鎌形の鉤部材５が軸5cを中心として回動自在に配置されている。鎌形の鉤部材５が軸5cを中心として図２の反時計針方向に回動すると、鉤部材５の先端部である前記屈曲部5aが扉１の端面から突出し、その掛止凹部5bを相手側である枠体２の端部に形成されている凹部2a内の係止具2bに掛止させることができる。
【００２７】
鉤部材５の先端部である屈曲部5aの外縁部5a'は、図２に示すように、円弧状に形成されている。
屈曲部5aの外縁部5a'がこのような形状になっていると、鉤部材５の先端が扉１から突出してしまった後においても、扉１を閉めるのに応じて前記外縁部5a'部分が枠体２側の端面付近に取り付けられているフロントプレート2dの孔2e付近に当接し、鉤部材５の先がそれより持ち上げられるので、鉤部材５の先端を枠体２の係止具2bに掛止させることができる。
【００２８】
前記ケース３内であって前記鉤部材５より奥側（各図の右側）には、この鉤部材５に対して図の上下方向にスライドさせ得るロック部材６が配置されており、前記枠体２側の係止具2bに前記鉤部材５を掛止させた施錠時（間仕切り時）において、このロック部材６を前記鉤部材５に係合させることを可能ならしめてある。
このロック部材６は扉１の外側から操作可能である。例えば、図１及び図６(a)、(b)に示すように、扉１の外から摘み6aをケース３内に刺し込み、この摘み6aと前記ロック部材６とを一体的とすることにより、ロック部材６を扉１の外側から操作可能とすることができる。
【００２９】
ロック部材６は図２〜図５において図面符号6bで示す折曲バネにより、各図の上側にスライドする方向に付勢させてある。この折曲バネ6aの一端をケース３側に、他端をロック部材６側に掛止することにより、ロック部材６を各図の上側にスライドする方向に付勢させることができる。
【００３０】
また、前記鉤部材５の軸5cより下側における端面（図１〜図３の左端）と、この面と対向する枠体２の端面とに、互いに磁気反発するマグネット5d，2cがそれぞれ配置されている。
扉１を閉めるのに応じてその端面が図３(a) に示すように相手側の枠体２の端面に近づくと、鉤部材５の端面に配置されているマグネット5dと前記枠体２の端面に配置されているマグネット2cとが互いに磁気反発し、鉤部材５は軸5cを中心として反時計針方向に回動して扉１の端面から突出し（図３(b)参照）、相手側の枠体２の端部に配置した係止具2bに掛止され、施錠状態（間仕切り状態）となる。
【００３１】
なお、扉１の端面付近と枠体２の端面付近にそれぞれ取り付けられているフロントプレート1a，2dが前後左右に多少ずれていても、マグネット5dと2cとの磁気反発は正常に行われて鉤部材５が枠体２の係止具2bに掛止されるので、フロントプレート1a，2dの調整が不要である。
【００３２】
鉤部材５に組み込まれているマグネット5dの奥には、ネジ状の磁性体5eが取り付けられている。そして、前記ケース３の内面には、鉤部材５が軸5cを中心として回動するとき、この磁性体5eの作動軌跡上に位置するところに、突起状のストッパー７が設けられている。
鉤部材５に組み込まれているマグネット5dとその奥に位置している磁性体5eの磁力により、回動後の鉤部材５はこのストッパー７に吸着される。
【００３３】
鉤部材５の先端が相手側の枠体２の係止具2bに掛止された施錠状態（間仕切り状態）において、扉１の外部から前記摘み6aを摘んでロック部材６を操作し、それを図３(b)の状態から図４(a)に示すようにスライドさせると、枠体２側の係止具2bに掛止されている鉤部材５にロック部材６が係合し、この鉤部材５をロックすることができる。従って、鉤部材５による施錠状態（間仕切り状態）が維持される。
【００３４】
一方、前記鉤部材５の奥側（図２〜図５の右側）には、図の左右方向に移動させ得る開錠部材８が配置されている。なお、この開錠部材８はコイル状のバネ8aにより図２〜図５の右側、すなわち、前記鉤部材５から遠ざかる方向に付勢されている。そして、前記バネ8aの弾撥力に逆らって開錠部材８を図２〜図５の左側に移動させると、前記鉤部材５の軸5cより下側の部分をこの開錠部材８の先で押すことができる。ここには、開錠部材８の先側に突押部8aを突設し、前記開錠部材８の移動時において、前記鉤部材５の軸5cより下側の部分をこの突押部8aで押すようにした場合が例示されている。
【００３５】
前記開錠部材８の右端面には、図６に示すように、前記扉１の表裏両側にそれぞれ嵌め込んである引手４，４に軸9aによりそれぞれ取り付けられていてケース３外へ一部を臨ませてある引手レバー９，９の基部が当接させてある。そして、両引手レバー９，９は、各軸9aを中心として引手４，４に対して平面的に回動させることができる。
【００３６】
前記摘み6aを摘んでロック部材６を先ほどとは逆方向に操作し、それを図４(a)の状態から図４(b)に示すようにスライドさせると、ロック部材６と枠体２側の係止具2bに掛止されている鉤部材５との係合が解ける。
しかる後、ロック扉１の表裏両側にある引手レバー９，９のいずれか一方に手指を掛けて、軸9aを中心として引手レバー９を図６(a)の状態から図６(b)に示すように回動させると、その基部先端が図６(b)に示すように前記開錠部材８を図の左側へ押す。
【００３７】
すると、開錠部材８は図４(b)の状態から図５に示すように図の左側に押しやられる。ところが、上述したように、枠体２側の係止具2bに掛止されている鉤部材の軸5cより下側の部分がケース３内において開錠部材８の先側である突押部8bに係合しているから、開錠部材８のこの動きにより図４(b) の状態にあった鉤部材５は軸5cを中心として時計針方向に回動し、図５に示す姿に戻る。すなわち、今まで施錠状態にあった鉤部材５は開錠状態になり、扉１を開けることが可能となる。
なお、この操作は扉１の表裏両側のいずれからでも行うことができる。
【００３８】
扉１を開けるのに応じて扉１側のマグネット5dが枠体２側のマグネット2cから遠ざかるから、両マグネット5d，2cの磁気反発がなくなり、図５の状態にあった鉤部分５は図３(a) に示すように扉１の端面から奥に隠れる。
すると、開錠させるに当ってスライドさせたロック部材６が開錠された鉤部材５を再び係止することになるから、このロック部材６により鉤部材５は所定の開錠位置に保持されることになる。
【００３９】
このように、本発明の引戸用錠は扉１を閉めることによって鉤部材５が自動的に枠体２側の係止具2bに掛止された施錠状態とすることができる。また、扉１を開ける前に扉１の外部に位置させてある引手レバー９を作動させるだけで枠体２側の係止具2bに掛止されていた鉤部材５を自動的に開錠状態とすることができ、扉１を開けることが可能となる。
【００４０】
ここでは、鉤部材５の回動中心より下側における端面にマグネット5dが取り付けられており、このマグネット5dを吸着させ得る板部材1bが扉１側に設けられている。この場合には、鉤部材５が扉１内に隠れているとき、扉１側に設けられている板部材1bに鉤部材５の回動中心より下側における端面に取り付けられているマグネット5dを吸着させておくことができるので、鉤部材５の先端部分を扉１から絶対に突出しないように扉１内に確実に納めておくことができる。なお、前記板部材1bは、例えば、磁性体からなるステンレス製や鉄製とすることができる。
【００４１】
また、ここでは、前記枠体２側の係止具2bに前記鉤部材５を掛止させた施錠時（間仕切り時）において、この鉤部材５に係合させてある前記ロック部材６が、図４(a)に示すように、前記開錠部材８にも係合してその動きを封じるようになっている。
このようにすることにより、前記枠体２側の係止具2bに前記鉤部材５を掛止させた施錠時（間仕切り時）において、鉤部材５に係合させてあるロック部材６が開錠部材８にも係合していると、たとえ、扉１の外部に位置している引手レバー９に例えば手を掛けて開錠部材８を動かそうとしても、それを動かすことはできない。従って、扉１を無理やり開けようとするのを、あるいは、扉１が勝手に開くのを防止できる。
【００４２】
また、ここでは、前記鉤部材５の先端部である屈曲部5aの外縁部5a'を、図２〜図５に示すように、円弧状にしてある。このように、鉤部材５の先端部である屈曲部5aの外縁部5a'を円弧状にすることにより、鉤部材５の先端が扉１から突出してしまった後においても、扉１を閉めるのに応じて前記外縁部5a'部分が枠体２側の端面付近のいずれかの部分に当接し、鉤部材５の先が持ち上げられるので、それを枠体２の係止具2bに掛止させることができる。
【００４３】
なお、ここでは、引手４の表側であってロック部材６を操作するための摘み6aの下側に、図１において図面符号10で示す表示シールを貼り付けてある。このような表示シールが貼り付けられていると、ケース内にあるロック部材６の作用状態を扉１の外側から容易に確認できる。
【図面の簡単な説明】
【００４４】
【図１】本発明の引戸用錠を備えた引戸の一例を示す概略正面図で、完全に閉める直前の状態を示す。
【図２】本発明の引戸用錠の一例を示す概略断面図である。
【図３】図２に示す引戸用錠の作動状態を示す概略図で、(a) は完全に閉める直前の状態を、(b) は完全に閉めた直後の状態を示す。
【図４】ロック部材の作動状態を示す概略図で、(a) はロック部材を図３の状態からスライドさせた後の状態を、(b) はロック部材を元の位置に戻した状態を示す。
【図５】開錠部材を図４(b)に示す状態からスライドさせてその先で鉤部材を押し、今まで施錠状態にあった鉤部材を開錠状態にした場合の概略断面図である。
【図６】図２に示す引戸用錠の一部切断の平面図で、(a)は引手レバーの作動前の状態を、(b)は作動後の状態を示す。
【符号の説明】
【００４５】
１…扉、1b…板部材、２…枠体、2b…係止具、2c…マグネット、５…鉤部材、5a…屈曲部、5a'…外縁部、5d…マグネット、６…ロック部材、７…ストッパー、８…開錠部材、９…引手レバー、Ａ…引戸。
【図１】
2005220515.tif 000003
【図２】
2005220515.tif 000004
【図３】
2005220515.tif 000005
【図４】
2005220515.tif 000006
【図５】
2005220515.tif 000007
【図６】
2005220515.tif 000008